(57)【要約】      （修正有）【課題】自動車に具備しているシートベルトに付いている固定用金具をシートに仮固定するためのホルダーを提供する。【解決手段】シートやシートバック、あるいはシートやシートバックと一緒に前後に動く手を伸ばしやすい部分にフックやピンよりも広い幅を持ち、シートベルトに付いているシートベルト固定用金具を仮固定する際に左右位置を規制するためのガイドやシートベルト固定用金具の行き過ぎを防止するストッパーを持つホルダーを使用する事でこれを解決する。【選択図】図１
0003167347.tif 000002
【実用新案登録請求の範囲】
【請求項１】
シートベルトを装着する時の固定用金具を仮固定するための「先端がフック状になったピン」を有するシートベルト金具を仮止めするホルダー。
【請求項２】
請求項１に加えてシートベルトを装着する時の固定用金具を仮固定する時に左右位置がずれにくくなるようなガイド機能を持ったシートベルト固定用金具を仮止めするホルダー。
【請求項３】
請求項１または請求項２に加えてシートベルトを装着する時の固定用金具を仮固定するときにこの金具が行き過ぎないように規制するストッパーを持ったシートベルト固定用金具を仮止めするホルダー。
【請求項４】
シートベルト金具ホルダーに強度を落とし、曲げやすくした折り曲げ部を介して取り付け部を有するシートベルト固定用金具を仮止めするホルダー。
【請求項５】
取り付け部に切り欠きのある部分を有し、その切り欠きの部分を少しだけ取り付け面の方向へ曲げる事で１本のネジを使用して固定する時に回り止めとする部分を持つシートベルト固定用金具を仮止めするホルダー
【考案の詳細な説明】
【技術分野】
【０００１】
本考案は自動車に具備しているシートベルトに付いている固定用金具をシートに仮固定するためのホルダーに関するものである。
【背景技術】
【０００２】
自動車に乗る時、シートベルトを着用する事は法律で義務付けられている。このシートベルトは各車両の装備しやすい位置に装備されており、車種が変ると座席からシートベルトまでの距離は必ずしも同じではない。また座席に座る人の体格や好みにより座席の前後位置やシートバックの倒し方は一様ではないことで座席からシートベルトまでの距離は更に異なってくる。
【０００３】
このためにシートやシートバック、あるいはシートやシートバックと一緒に前後に動く手を伸ばしやすい部分にシートベルトを仮止めできるフックやピンなどを取り付け、ここにシートベルトを仮固定できればシートベルトを手にとる場合、いつも従来よりも近く同じ場所に有るために特に手を後ろに伸ばし難い人にとって楽であり便利である。
【先行技術文献】
【特許文献】
【０００４】
【特許文献１】実願2010-006458
【考案の概要】
【考案が解決しようとする課題】
【０００５】
シートベルトを仮固定するためのフックやピンをシートやシートバックの側面に設置すれば便利ではあるがシートベルトを仮固定する部分に脱着するのはドアを開けない限りフックやピンの有る場所はシートとドア間の狭い隙間であり、また夜などは暗い場所であることが多い。
設置されるフックやピンは小さく、シートベルトに付けられた固定用金具をこのフックやピンに仮固定するには往々にして手探りでの作業となりシートやシートバックの側面などに設置されたフックやピンの位置をシートベルト固定用金具に設けられた穴と合わせるのに難儀し、時間がかかって不便である。
【課題を解決するための手段】
【０００６】
本考案では、シートベルトに付いているシートベルト固定用金具を仮固定する際にピンやシートベルト固定用金具よりも広い幅を持つ「左右位置を規制するためのガイド」やシートベルト固定用金具の「行き過ぎを防止するストッパー」とシートベルト固定用金具を仮固定する「先端がフック状になったピン」を持つホルダーを使用する事でこれを解決する。
【０００７】
図において図１の左側にあるシートベルト固定用金具に有る固定用の穴を図１右のホルダーに差し込み仮固定する順序を説明する。
【０００８】
シートベルト固定用金具とホルダーは横から見ると仮固定する前は図２のように離れている。
【０００９】
シートベルト固定用金具をホルダーに仮固定する場合は図１の２と図１の８の「左右位置を規制するためのガイド」の間にシートベルト固定用金具の先端部分を入れ、図３のように「行き過ぎを防止するストッパー」に当たるまで差し込む。この操作でシートベルト固定用金具に有る固定用穴が図１の１である「先端がフック状になったピン」の上に来るような位置関係にしておく。
【００１０】
次にシートベルト固定用金具をホルダーに平行になるように角度を変えれば図４のようにホルダーに設けられた「先端がフック状になったピン」がシートベルト固定用金具に有る固定用穴に入り、手を離せばシートベルト固定用金具はホルダーに仮固定される。取り外す場合はこの逆の順序で操作すればよい。
【００１１】
本考案ではホルダーを取り付ける面の角度次第ではシートベルト固定用金具を仮固定するのに使いづらくなることがある。これを解決するにはホルダーを取り付ける際に曲げ、取り付ける面との間に角度を持たせると良い。しかしホルダーが金属で作られていると固く、曲げにくい。
この事を考慮し、図１の４の部分に切り抜きの部分を設け強度を落としてある。この強度を落とすことで金属であっても曲げやすくなり、取り付ける面と取り付けるホルダーを使用上都合の良い角度に設定し易くすることで解決する。
【００１２】
本考案のホルダーを取り付ける際にネジを使用した場合、１本のネジで固定できるようにしてある。しかしこのままでは使っていくうちにホルダーがネジを中心として回転してしまい、使いづらくなってしまうことが考えられる。
【００１３】
これを防止するために図１の５、及び図１の７の部分に切り欠きが設けてある。さらにこの切り欠きの部分を取り付ける面の方向へ少しだけ曲げておく事で図１の６の穴を利用してネジで固定した場合にこれらの切り欠きが回転止めとなる。
【００１４】
このホルダーを両面テープなどで固定する場合は図１の５、図１の６及び図１の７他の加工は不要である。
【図面の簡単な説明】
【００１５】
【図１】シートベルトと本考案であるホルダー各部呼称の説明図である。
【図２】図１を横から見た図である。各番号は図１と共通である。この図で取り付け部が少しだけ取り付け面側に曲げてある事が分かる。
【図３】シートベルト固定用金具をホルダーの「行き過ぎを防止するストッパー」に当たるように差し込んだ状態の説明図である。
【図４】シートベルト固定用金具にある固定用穴にホルダーの「先端がフック状になったピン」が通り、シートベルト固定用金具が仮固定される時の様子を示す説明図である。
【符号の説明】
【００１６】
１  シートベルトの固定用金具を仮固定するための「先端がフック状になったピン」
２  ８と対になりシートベルト固定用金具を仮固定する際の「左右位置を規制するガイド」
３  シートベルトの固定用金具がこれ以上先へ進まないための「行き過ぎを防止するストッパー」
４  ホルダーを取り付ける際に角度が調整できる折り曲げ部
５  ネジを使用して固定する時の回り止め
６  取り付け用ネジを通す穴
７  ５と同じくネジを使用して固定する時の回り止め
８  ２と対になりシートベルト固定用金具を仮固定する際に左右を規制するガイド
９  シートベルトを装着する時の固定用金具
１０  シートベルト
１１  シートベルトの固定用金具にある固定用穴
【図１】
0003167347.tif 000003
【図２】
0003167347.tif 000004
【図３】
0003167347.tif 000005
【図４】
0003167347.tif 000006
【手続補正書】
【提出日】平成23年1月18日(2011.1.18)
【手続補正１】
【補正対象書類名】実用新案登録請求の範囲
【補正対象項目名】全文
【補正方法】変更
【補正の内容】
【実用新案登録請求の範囲】
【請求項１】
シートベルトを装着する時の固定用金具を仮固定するための「先端がフック状になったピン」を有するシートベルト金具を仮止めするホルダー。
【請求項２】
シートベルトを装着する時の固定用金具を仮固定する時に左右位置がずれにくくなるようなガイド機能を持つことを特徴とする請求項１記載のシートベルト金具を仮止めするホルダー。
【請求項３】
シートベルトを装着する時の固定用金具を仮固定するときにこの固定用金具金具が行き過ぎないように規制するストッパーを持つことを特徴とする請求項１または２に記載のシートベルト固定用金具を仮止めするホルダー。
【請求項４】
シートベルト金具ホルダーに強度を落とし、曲げやすくした折り曲げ部を介して取り付け部を持つことを特徴とする請求項１または２または３に記載のシートベルト固定用金具を仮止めするホルダー。
【請求項５】
取り付け部に切り欠きのある部分を有し、その切り欠きの部分を少しだけ取り付け面の方向へ曲げる事で１本のネジを使用して固定する時に回り止めとする部分を持つことを特徴とする請求項１または２または３または４に記載のシートベルト固定用金具を仮止めするホルダー